(57)【特許請求の範囲】
【請求項１】
管材を支持部に支持するための管支持具であって、
前記管材を保持する保持部と、前記支持部に釘あるいはビスによって止められる取付部とを有する、支持具本体を備え、
前記取付部には、前記管材を前記支持部の支持面と交わる方向に配設すべく、前記保持部に保持される前記管材の長手方向と同一方向に貫通する、前記釘あるいはビスが挿入される第１の取付孔が設けられており、
前記管支持具は、
前記管材が前記支持部と干渉しないように、前記支持具本体を位置決めするとともに、一つの前記釘あるいはビスで前記支持部に対して前記支持具本体を回り止め状態に取り付け可能とするよう、
前記第１の取付孔が開口する側であり、かつ、前記支持面に当接する側の、前記保持部における前記取付部との境界部分に突出して、前記支持部の縁部と係合する、
位置決め用の突起を備えることを特徴とする管支持具。
【請求項２】
前記取付部には、前記保持部側とその保持部とは反対側との間を貫通する第２の取付孔が設けられていることを特徴とする請求項１に記載の管支持具。
【請求項３】
前記取付部には、前記第１の取付孔の貫通方向と垂直となる方向であって、前記取付部と前記保持部とが並ぶ方向と垂直となる方向に貫通する、第３の取付孔が設けられていることを特徴とする請求項１または２に記載の管支持具。
【発明の詳細な説明】
【０００１】
【発明の属する技術分野】
この発明は、管材を支持部に支持するための管支持具に関するものである。
【０００２】
【従来の技術】
従来、管材としての鞘管を、例えば、床下の根太に支持するための管支持具として、図７および図８に示されるものがあった。この管支持具１１は、Ｕ字状に形成されて鞘管１２を保持する保持部１１ａと、その保持部１１ａの各端部から互い離れる方向に延びる取付部１１ｂ、１１ｂとからなっていた。そして、取付部１１ｂには、取付孔１１ｃが明けられており、釘１３が、その取付孔１１ｂに挿入されて根太１４に打ち込まれた。
【０００３】
【発明が解決しようとする課題】
ところで、前記従来の管支持具１１にあっては、鞘管１２を、根太１４に沿って配管したり（図７参照）、根太１４と交差して配管したり（図８参照）する際に、床下の狭い空間内で、鞘管１２側から、すなわち下側から釘１３を打つ必要があり、その作業が大変やりにくかった。
【０００４】
この発明は、上記した従来の欠点を解決するためになされたものであり、その目的とするところは、管材の配管作業を容易に行うことができる、管支持具を提供することにある。
【０００５】
【課題を解決するための手段】
この発明に係る管支持具は、前記目的を達成するために、次の構成からなる。すなわち、
請求項１に記載の発明に係る管支持具は、管材を支持部に支持するための管支持具であって、前記管材を保持する保持部と、前記支持部に釘あるいはビスによって止められる取付部とを有する、支持具本体を備える。そして、前記取付部には、前記管材を前記支持部の支持面と交わる方向に配設すべく、前記保持部に保持される前記管材の長手方向と同一方向に貫通する、前記釘あるいはビスが挿入される第１の取付孔が設けられている。さらに、前記管支持具は、前記管材が前記支持部と干渉しないように、前記支持具本体を位置決めするとともに、一つの前記釘あるいはビスで前記支持部に対して前記支持具本体を回り止め状態に取り付け可能とするよう、前記第１の取付孔が開口する側であり、かつ、前記支持面に当接する側の、前記保持部における前記取付部との境界部分に突出して、前記支持部の縁部と係合する、位置決め用の突起を備える。
【０００６】
これにより、この管支持具を支持部に取り付けるには、釘あるいはビスを、保持される管材の長手方向と同一の方向から取付部の第１の取付孔に挿入して、支持部に打ち込んだりねじ込んだりして止める。こうして、取付部が支持部に止められて、この管支持具は支持部に取り付けられる。そして、管支持具の保持部には、管材が保持されることで、その管材は、支持部に支持されて、支持部の支持面と交わる方向に配設される。ここで、管材を、床や天井等の下面に沿って配管する場合には、前記釘あるいはビスは、保持される管材の長手方向と同一の方向、すなわち側方から支持部に止められる。
【０００７】
そして、管支持具を支持部に取り付ける際には、支持具本体が、保持部における取付部との境界部分に突出して支持部の縁部と係合する位置決め用の突起によって、位置決めされ、保持部に保持される管材は、支持部と干渉することがない。
【０００８】
また、請求項２に記載の発明に係る管支持具のように、請求項１に記載の管支持具において、前記取付部には、前記保持部側とその保持部とは反対側との間を貫通する第２の取付孔が設けられていてもよい。これにより、この管支持具を支持部に取り付けるには、固着具を、保持部側とその保持部とは反対側との間を貫通する第２の取付孔に挿入して支持部に止める、すなわち保持される管材側から支持部に止めることで、この管支持具を支持部に取り付けることもできる。また、こうして、管材が配管される状況に応じて、第１の取付孔と第２の取付孔とを使い分けることで、種々の配管場所に容易に対応することができる。
【０００９】
また、請求項３に記載の発明に係る管支持具のように、請求項１または２に記載の管支持具において、前記取付部には、前記第１の取付孔の貫通方向と垂直となる方向であって、前記取付部と前記保持部とが並ぶ方向と垂直となる方向に貫通する、第３の取付孔が設けられていてもよい。これにより、この管支持具を支持部に取り付けるには、固着具を、第１の取付孔の貫通方向と垂直となる方向であって、取付部と保持部とが並ぶ方向と垂直となる方向に貫通する、第３の取付孔に挿入して支持部に止めることで、この管支持具を支持部に取り付けることもできる。また、こうして、管材が配管される状況に応じて、第１の取付孔と第３の取付孔とを使い分けることで、あるいは、第１の取付孔と第２の取付孔と第３の取付孔とを使い分けることで、種々の配管場所に容易に対応することができる。
【００１０】
【発明の実施の形態】
以下、この発明に係る管支持具の実施の形態を図面に基づいて説明する。
【００１１】
図１ないし図６は、本発明に係る管支持具の一実施の形態を示す。図中符号１は、床下に配備される根太、あるいは柱、壁、天井等の、支持部である。２は、管材としての、例えば、給水管Ｗを収容保護する鞘管である。３は、前記鞘管２を前記支持部１に支持するための管支持具である。
【００１２】
ここで、管支持具３は、例えば、ポリプロピレン樹脂等の合成樹脂製であって、図１および図２に示すように、支持具本体３ａを備え、その支持具本体３ａは、鞘管２を保持する保持部４と、支持部１に止められる取付部５とを有している。
【００１３】
保持部４は、取付部５側に繋がり鞘管２を挟むように対峙する基部４ａ、４ｂと、その基部４ａ、４ｂ間の、先端側の開口を開いたり閉じたりするために、後述する第１ヒンジ４ｋを中心に回動可能となった可動部４ｃとからなる。そして、基部４ａ、４ｂには、互いに向かい合う面４ｄ、４ｄにリブ４ｅ、４ｅが設けられており、このリブ４ｅ、４ｅに、例えば蛇腹状に形成された鞘管２の凹部２ａが係合することで、鞘管２は、その長手方向への移動が阻止されるようになっている（図４参照）。また、一方の基部４ａの先端には、後述する被係止片４ｊが挿入される穴４ｆが設けられており、この穴４ｆ内には、その奥方側（図２において下方側）に第１係止爪４ｇが、そして、口元側（図２において上方側）に第２係止爪４ｈが形成されている。
【００１４】
可動部４ｃは、可動部本体４ｉと、被係止片４ｊと、第１および第２ヒンジ４ｋ、４ｍとからなる。可動部本体４ｉは、他方の基部４ｂの先端から、薄肉に形成された第１ヒンジ４ｋを介して、一方の基部４ａに向かって円弧状に延びている。そして、被係止片４ｊは、その中間部分で、可動部本体４ｉの先端部分と、薄肉に形成された第２ヒンジを４ｍ介して繋がっている。この被係止片４ｊには、一方の基部４ａ側に、第１係止爪４ｇに係止される第１被係止爪４ｎが、内方を向くように形成されており、また、一方の基部４ａとは反対側に、第２係止爪４ｈに係止される第２被係止爪４ｐが、外方を向くように形成されており、さらに、その第２被係止爪４ｐがある側の先端に、操作部４ｑが、外方に向かって突出して形成されている。そして、第２ヒンジ４ｍは、その材料の特性によりバネ性を有しており、そのバネ性が、可動部本体４ｉと被係止片４ｊとの相対角度を一定角度に保つように作用している。こうして、可動部４ｃが、第１ヒンジ４ｋから曲げられて、被係止片４ｊが、基部４ａの穴４ｆに挿入されると、第２ヒンジ４ｍのバネ性により、第１被係止爪４ｎが、第１係止爪４ｇに係止され、また、第２被係止爪４ｐが、第２係止爪４ｈに係止されて、可動部４ｃが基部４ａ、４ｂ間の、先端側の開口を覆った状態、つまりはこの保持部４が鞘管２を保持する状態が保たれる。そして、被係止片４ｊの操作部４ｑを、第２ヒンジ４ｍのバネ力に抗して押圧すると、第１被係止爪４ｎが、第１係止爪４ｇから外れ、また、第２被係止爪４ｐが、第２係止爪４ｈから外れて、被係止片４ｊを穴４ｆから抜き出すことができ、こうして、基部４ａと可動部４ｃとの間が開口して、その開口を通って鞘管２を、保持部４内に入れたり、保持部４内から出したりすることができる。
【００１５】
取付部５は、基部４ａ、４ｂが対峙する方向に長手となる略直方体形状に形成されている。そして、取付部５には、鞘管２を前記支持部１の支持面１ａと交わる方向に配設すべく、保持部４に保持される鞘管２の長手方向と同一方向に貫通する第１の取付孔５ａが設けられている。そして、この第１の取付孔５ａが開口する各側の面が、支持部１、すなわち支持面１ａに当接する第１当接面５ｂとなっている。ここにおいて、管支持具３は、この第１の取付孔５ａが開口する側であり、かつ、前記支持面１ａに当接する側に突出して、鞘管２が支持部１と干渉しないように支持具本体３ａを位置決めする、位置決め用の突起６、６を備えている。すなわち、突起６、６は、第１当接面５ｂ側であって、基部４ａ、４ｂにおける取付部５との境界部分に設けられており、支持部１の縁部と係合するようになっている。
【００１６】
また、取付部５には、保持部４側とその保持部４とは反対側との間を貫通する第２の取付孔５ｃが設けられている。そして、この第２の取付孔５ｃが開口する、保持部４とは反対側の面が、支持部１に当接する第２当接面５ｄとなっている。そして、この第２の取付孔５ｃの貫通方向は、図示実施の形態においては、第１の取付孔５ａの貫通方向と垂直となる方向となっている。さらに、取付部５には、第１の取付孔５ａの貫通方向と垂直となる方向であって、取付部５と保持部４とが並ぶ方向と垂直となる方向に貫通する、第３の取付孔５ｅが設けられている。そして、この第３の取付孔５ｅが開口する各側の面が、支持部１に当接する第３当接面５ｆとなっている。なお、図示実施の形態においては、第１の取付孔５ａの貫通方向と、第２の取付孔５ｃの貫通方向と、第３の取付孔５ｅの貫通方向とは、互いに垂直となっている。
【００１７】
次に、以上の構成からなる管支持具３の作用効果を、この管支持具３の適用例とともに説明する。
【００１８】
図３および図４は、鞘管２を、床や天井等の下面に沿って配管する第一の適用例として、例えば、鞘管２を、床下において、支持部１としての根太Ｎと直交する方向に配管する、すなわち根太Ｎ、Ｎにまたがって配管する場合を示す。管支持具３を根太Ｎに取り付けるには、保持部４が下側となり、取付部５が上側となる向きで、第１当接面５ｂが、前記支持面１ａとなる、根太Ｎの側面Ｎ１に当接するようにするとともに、位置決め用の突起６、６が、根太Ｎの縁部（図示実施の形態においては、根太Ｎの下端部）と係合するようにする。そして、釘あるいはビス等の固着具Ｋを、保持される鞘管２の長手方向と同一の方向、すなわち側方から取付部５の第１の取付孔５ａに挿入して、根太Ｎに打ち込んだりねじ込んだり等して止める。こうして、取付部５が根太Ｎに止められて、この管支持具３は根太Ｎに取り付けられる。そして、管支持具３において、可動部４ｃを開き、鞘管２を保持部４内に挿入し、その後、可動部４ｃを閉じることで、鞘管２を保持する。このようにして、管支持具３の保持部４には、鞘管２が保持され、鞘管２は、根太Ｎに支持されて、根太Ｎの側面Ｎ１と交わる方向に配設される。したがって、鞘管２を、床や天井等の下面に沿って配管する場合であっても、固着具Ｋを、保持される鞘管２の長手方向と同一の方向、すなわち側方から根太Ｎに止めることができ、鞘管２の配管作業を容易に行うことができる。さらに、管支持具３を根太Ｎに取り付ける際には、支持具本体３ａは、突起６、６が根太Ｎの縁部と係合することで、位置決めされる。こうして、支持具本体３ａが、突起６、６によって位置決めされ、保持部４に保持される鞘管２は、根太Ｎと干渉することがない。したがって、この位置決めにより、鞘管２の配管作業を一層容易に行うことができる。その上、管支持具３が突起６、６によって位置決めされることで、第１の取付孔５ａは一つ、すなわち固着具Ｋは一つであっても、管支持具３は回り止めされる。
【００１９】
図５は、鞘管２を、支持部１としての壁Ｈに沿って配管する第二の適用例を示す。管支持具３を壁Ｈに取り付けるには、保持部４が手前側となり、取付部５が壁Ｈ側となる向きで、第２当接面５ｄが壁Ｈに当接するようにする。そして、固着具Ｋを、保持部４側とその保持部４とは反対側との間を貫通する第２の取付孔５ｃに、保持部４側から挿入して、壁Ｈに打ち込んだりねじ込んだり等して止める。すなわち、固着具Ｋを、保持される鞘管２側から壁Ｈに止める。こうして、取付部５が壁Ｈに止められて、この管支持具３は壁Ｈに取り付けられる。そして、第一の適用例と同様にして、管支持具３における保持部４により、鞘管２を保持する。したがって、この管支持具３によると、前記第一の適用例やこの第二の適用例に示されるように、鞘管２が配管される状況に応じて、第１の取付孔５ａと第２の取付孔５ｃとを使い分けることで、種々の配管場所に容易に対応することができる。
【００２０】
図６は、鞘管２を、床下において、支持部１としての根太Ｎに沿って配管する第三の適用例を示す。管支持具３を根太Ｎに取り付けるには、保持部４が下側となり、取付部５が上側となる向きで、第３当接面５ｆが根太Ｎに当接するようにする。そして、固着具Ｋを、手前から取付部５の第３の取付孔５ｅに挿入して、根太Ｎに打ち込んだりねじ込んだり等して止める。こうして、取付部５が根太Ｎに止められて、この管支持具３は根太Ｎに取り付けられる。そして、第一の適用例や第二の適用例と同様にして、管支持具３における保持部４により、鞘管２を保持する。したがって、この管支持具３によると、前記第一の適用例やこの第三の適用例に示されるように、鞘管２が配管される状況に応じて、第１の取付孔５ａと第３の取付孔５ｅとを使い分けることで、種々の配管場所に容易に対応することができる。さらには、この管支持具３によると、前記第一の適用例や第二の適用例、そしてこの第三の適用例に示されるように、鞘管２が配管される状況に応じて、第１の取付孔５ａと第２の取付孔５ｃと第３の取付孔５ｅとを使い分けることで、種々の配管場所に一層容易に対応することができる。
【００２１】
なお、本発明は、上述した実施の形態に限定されるわけではなく、その他種々の変更が可能である。例えば、管材は、給水管Ｗを収容保護する鞘管２でなくとも、給湯管、排水管、あるいは電線等を収容保護する鞘管であってもよく、さらには、給水管、給湯管、排水管等であってもよい。
【００２２】
また、鞘管２を床下に配管するにあたって、第一の適用例においては第１の取付孔５ａが用いられ、第三の適用例においては第３の取付孔５ｅが用いられているが、勿論、第２の取付孔５ｃを用いてもよい。
【００２３】
【発明の効果】
以上、詳述したところから明らかなように、この発明に係る管支持具によれば、次の効果がある。
【００２４】
請求項１に記載された管支持具によれば、管材を、床や天井等の下面に沿って配管する場合であっても、釘あるいはビスを、保持される管材の長手方向と同一の方向、すなわち側方から支持部に止めることができるので、管材の配管作業を容易に行うことができる。
【００２５】
その上、管支持具を支持部に取り付ける際に、支持具本体が、保持部における取付部との境界部分に突出して支持部の縁部と係合する突起によって、位置決めされて、保持部に保持される管材は、支持部と干渉しないので、管材の配管作業を一層容易に行うことができる。
【００２６】
また、請求項２に記載された管支持具によれば、加えて、管材が配管される状況に応じて、第１の取付孔と第２の取付孔とを使い分けることで、種々の配管場所に容易に対応することができる。
【００２７】
また、請求項３に記載された管支持具によれば、加えて、管材が配管される状況に応じて、第１の取付孔と第３の取付孔とを使い分けることで、あるいは、第１の取付孔と第２の取付孔と第３の取付孔とを使い分けることで、種々の配管場所に容易に対応することができる。
【図面の簡単な説明】
【図１】  この発明に係る管支持具の一実施の形態の、斜視図である。
【図２】  同じく、側面図である。
【図３】  同じく、第一の適用例を示す正面図である。
【図４】  同じく、第一の適用例を示す側面図である。
【図５】  同じく、第二の適用例を示す側面図である。
【図６】  同じく、第３の適用例を示す側面図である。
【図７】  従来の管支持具を、根太に沿って配管する鞘管に適用した斜視図である。
【図８】  従来の管支持具を、根太と交差して配管する鞘管に適用した斜視図である。
【符号の説明】
１  支持部                        １ａ  支持面
２  鞘管（管材）                  ３  管支持具
３ａ  支持具本体                  ４  保持部
５  取付部                        ５ａ  第１の取付孔
５ｃ  第２の取付孔                ５ｅ  第３の取付孔
６  突起                          Ｎ  根太（支持部）
Ｎ１  側面（支持面）              Ｈ  壁（支持部）
【図１】
0003850233.tif 000002
【図２】
0003850233.tif 000003
【図３】
0003850233.tif 000004
【図４】
0003850233.tif 000005
【図５】
0003850233.tif 000006
【図６】
0003850233.tif 000007
【図７】
0003850233.tif 000008
【図８】
0003850233.tif 000009